(57)【要約】      （修正有）【課題】構造を簡単にし部品点数を減らした構成の基に液状化粧料の目的箇所への確実な塗布機能を発揮させることができる液状化粧料塗布具を提供する。【解決手段】本液状化粧料塗布具１は、先端側にキャップ６を着脱可能に備え、前記キャップ６側へ突出させた液状化粧料の塗布部２と、液状化粧料を内部に収容するとともに先端側を塗布部２への流路１４ｄに臨ませ後端側に中空軟質空洞構造の台形突部５を設けたカートリッジ４と、塗布部２を保持するとともにキャップ６の装着に連動してカートリッジ４から塗布部２への流路１４ｄを閉塞し、キャップ６の取り外しに連動して流路１４ｄを開き液状化粧料を塗布部２に供給可能とする開閉弁部１０とを有し、塗布部２への液状化粧料の鍔部を備えた塗布具本体機構部を内装した軸筒２０と、該軸筒２０の後端側に配置した前記台形突部５に押圧力を作用させるための押体３とを具備するものである。【選択図】図１
0003169408.tif 000002
【実用新案登録請求の範囲】
【請求項１】
先端側にキャップを着脱可能に備え、先端側を前記キャップ側へ突出させた液状化粧料の塗布部と、液状化粧料を内部に収容するとともに先端側を塗布部への流路に臨ませ後端側に中空軟質空洞構造の突部を設けたカートリッジと、前記塗布部を保持するとともに前記キャップの装着に連動して前記カートリッジから塗布部への流路を閉塞し、前記キャップの取り外しに連動して前記カートリッジから塗布部への流路を開き液状化粧料を前記塗布部に供給可能とする開閉弁部と、を有し、前記塗布部の後端側に開閉弁部から流入する液状化粧料を前記塗布部に誘導する液状化粧料誘導部を備える塗布具本体機構部を内装した軸筒と、
前記軸筒の後端側に配置した前記突部に押圧力を作用させるための押体と、
を有することを特徴とする液状化粧料塗布具。
【請求項２】
先端側にキャップを着脱可能に備え、
先端側を前記キャップ側へ突出させた液状化粧料の塗布部と、
この塗布部の後端側を保持する先筒と、
この先筒の後端側を先端側受筒部に嵌装し、後端側受筒部を後端側に延在するとともに、内部に通過孔を設けた隔壁部を設けた中継保持筒とを、スライド可能に保持するとともに後端側をカートリッジ側に臨ませた先筒保持筒と、
前記中継保持筒の後端側受筒部内に嵌装され前記隔壁部における通過孔の部分に臨ませる先端側突部と、先筒保持筒の後端部を貫通させカートリッジ組み付け部とする後端部と、前記先端側突部と後端部との間の大径部とを具備し、内部から先端側突部の外周に至る液状化粧料の流路を形成するとともに、前記先端側突部の突出端と前記隔壁部における通過孔の部分とにより、前記キャップの装着に連動して前記カートリッジから塗布部への流路を閉塞し、前記キャップの取り外しに連動して前記カートリッジから塗布部への流路を開き液状化粧料を前記塗布部に供給可能とする開閉弁部を形成する液状化粧料誘導筒と、
前記大径部と中継保持筒の後端との間に配置したこの中継保持筒及び前記塗布部の後端側を保持する先筒を先端側に押圧するばねと、
前記液状化粧料誘導筒の外周と中継保持筒の内周との間に配置したＯリングと、
前記液状化粧料誘導筒の後端部に着脱可能に組み付けるとともに、液状化粧料を内部に収容し後端側に中空軟質空洞構造の台形状の突部又は中空軟質構造の略半球状或いは頂部を平面とした半球状の突部を設けたカートリッジと、を有し、前記塗布部の後端側に開閉弁部から流入する液状化粧料を前記塗布部に誘導する液状化粧料誘導部を備える塗布具本体機構部を内装した軸筒と、
前記軸筒の後端側に配置した前記突部に押圧力を作用させるための押体と、
を有することを特徴とする液状化粧料塗布具。
【請求項３】
先端側にキャップを着脱可能に備え、
前記キャップ側へ突出させた液状化粧料の塗布部と、
この塗布部の後端側を保持する先筒と、
この先筒の後端側を先端側受筒部に嵌装し、後端側受筒部を後端側に延在するとともに、内部に通過孔を設けた隔壁部を設けた中継保持筒とを、スライド可能に保持するとともに後端側をカートリッジ側に臨ませた先筒保持筒と、
前記中継保持筒の後端側受筒部内に嵌装され前記隔壁部における通過孔の部分に臨ませる先端側突部と、先筒保持筒の後端部を貫通させカートリッジ組み付け部とする後端部と、前記先端側突部と後端部との間の大径部とを具備し、内部から先端側突部の外周に至る液状化粧料の流路を形成するとともに、前記先端側突部の突出端と前記隔壁部における通過孔の部分とにより、前記キャップの装着に連動して前記カートリッジから塗布部への流路を閉塞し、前記キャップの取り外しに連動して前記カートリッジから塗布部への流路を開き液状化粧料を前記塗布部に供給可能とする開閉弁部を形成する液状化粧料誘導筒と、
前記大径部と中継保持筒の後端との間に配置したこの中継保持筒及び前記塗布部の後端側を保持する先筒を先端側に押圧するばねと、
前記液状化粧料誘導筒の外周と中継保持筒の内周との間に配置したＯリングと、
前記中継保持筒の先端側受筒部の最深部を画する前記隔壁部の端面と、前記塗布部の後端との間に配置した開閉弁部から流入する液状化粧料を前記塗布部に誘導する誘導芯と、
前記液状化粧料誘導筒の後端部に着脱可能に組み付けるとともに、液状化粧料を内部に収容し後端側に中空軟質空洞構造の台形状の突部又は中空軟質構造の略半球状或いは頂部を平面とした半球状の突部を設けたカートリッジと、
を有する塗布具本体機構部を内装した軸筒と、
前記軸筒の後端側に配置した前記突部に押圧力を作用させるための押体と、
を有することを特徴とする液状化粧料塗布具。
【請求項４】
先端側にキャップを着脱可能に備え、
前記キャップ側へ突出させた液状化粧料の塗布部と、
この塗布部の後端側を保持する先筒と、
この先筒の後端側を先端側受筒部に嵌装し、後端側受筒部を後端側に延在するとともに、内部に通過孔を設けた隔壁部を設けた中継保持筒とを、スライド可能に保持するとともに後端側をカートリッジ側に臨ませた先筒保持筒と、
前記中継保持筒の後端側受筒部内に嵌装され前記隔壁部における通過孔の部分に臨ませる先端側突部と、先筒保持筒の後端部を貫通させカートリッジ組み付け部とする後端部と、前記先端側突部と後端部との間の大径部とを具備し、内部から先端側突部の外周に至る液状化粧料の流路を形成するとともに、前記先端側突部の突出端と前記隔壁部における通過孔の部分とにより、前記キャップの装着に連動して前記カートリッジから塗布部への流路を閉塞し、前記キャップの取り外しに連動して前記カートリッジから塗布部への流路を開き液状化粧料を前記塗布部に供給可能とする開閉弁部を形成する液状化粧料誘導筒と、
前記大径部と中継保持筒の後端との間に配置したこの中継保持筒及び前記塗布部の後端側を保持する先筒を先端側に押圧するばねと、
前記液状化粧料誘導筒の外周と中継保持筒の内周との間に配置したＯリングと、
前記中継保持筒の先端側受筒部の最深部を画する前記隔壁部の端面に設けた開閉弁部から流入する液状化粧料を前記塗布部に誘導する誘導溝と、
前記液状化粧料誘導筒の後端部に着脱可能に組み付けるとともに、液状化粧料を内部に収容し後端側に中空軟質空洞構造の台形状の突部又は中空軟質構造の略半球状或いは頂部を平面とした半球状の突部を設けたカートリッジと、
を有する塗布具本体機構部を内装した軸筒と、
前記軸筒の後端側に配置した前記突部に押圧力を作用させるための押体と、
を有することを特徴とする液状化粧料塗布具。
【考案の詳細な説明】
【技術分野】
【０００１】
本考案は、構造を簡単にし部品点数を減らした構成の基に液状化粧料の目的箇所への確実な塗布機能を発揮させることができる液状化粧料塗布具に関するものである。
【背景技術】
【０００２】
従来、塗布具本体内に液状化粧料を収容したカートリッジを備え、塗布具本体の先端に設けた例えば毛筆タイプの塗布部に対して、押出し操作によりカートリッジから液状化粧料を供給して目的箇所へ塗布し化粧を実行するようにした液状化粧料塗布具が種々提案されている。
【０００３】
特許文献１には、軸筒１内に配置したカートリッジ２を化粧料貯溜筒とし、このカートリッジ２を筒状の軸首部７の後端に設けた取付部１６に嵌合し、カートリッジ２内の化粧料３を軸筒１の後端に配置した押圧体９の押出操作により軸首部７内の誘導芯１７を経て軸筒１の先端側における毛筆状の塗布部６に導出するように構成した液体化粧料容器が提案されている。
【０００４】
特許文献１に開示された液体化粧料容器の場合、構造が複雑で部品点数も多いとともに、毛筆状の塗布部６の中心に化粧料浸透用の穴を開けなければ化粧料の目的箇所への確実な塗布機能を発揮させることは難しかった。
【先行技術文献】
【特許文献】
【０００５】
【特許文献１】実公平６−１４６６５号公報
【考案の概要】
【考案が解決しようとする課題】
【０００６】
本考案が解決しようとする問題点は、構造を簡単にし部品点数を減らした構成の基に液状化粧料の目的箇所への確実な塗布機能を発揮させることができるような液状化粧料塗布具が存在しない点である。
【課題を解決するための手段】
【０００７】
本考案の液状化粧料塗布具は、先端側にキャップを着脱可能に備え、先端側を前記キャップ側へ突出させた液状化粧料の塗布部と、液状化粧料を内部に収容するとともに先端側を塗布部への流路に臨ませ後端側に中空軟質空洞構造の突部を設けたカートリッジと、前記塗布部を保持するとともに前記キャップの装着に連動して前記カートリッジから塗布部への流路を閉塞し、前記キャップの取り外しに連動して前記カートリッジから塗布部への流路を開き液状化粧料を前記塗布部に供給可能とする開閉弁部と、を有し、前記塗布部の後端側に開閉弁部から流入する液状化粧料を前記塗布部に誘導する液状化粧料誘導部を備える塗布具本体機構部を内装した軸筒と、前記軸筒の後端側に配置した前記突部に押圧力を作用させるための押体と、を有することを最も主要な特徴とする。
【考案の効果】
【０００８】
請求項１記載の考案によれば、軸筒の先端側にキャップを着脱可能に備えるとともに、前記キャップ側へ突出させた液状化粧料の塗布部と、液状化粧料を内部に収容するとともに先端側を塗布部への流路に臨ませ後端側に中空軟質空洞構造の突部を設けたカートリッジと、前記塗布部を保持するとともに前記キャップの装着に連動して前記カートリッジから塗布部への流路を閉塞し、前記キャップの取り外しに連動して前記カートリッジから塗布部への流路を開き液状化粧料を前記塗布部に供給可能とする開閉弁部と、を有し、前記塗布部の後端側に開閉弁部から流入する液状化粧料を前記塗布部に誘導する液状化粧料誘導部を備える塗布具本体機構部を軸筒に内装し、軸筒の後端側に前記突部に押圧力を作用させるための押体を配置した構成としたので、構造が簡略で部品点数を減らし、更に、塗布部への液状化粧料の供給を行うことができる構成の基に液状化粧料の目的箇所への確実な塗布機能を発揮させることができ、また、キャップ装着時における液状化粧料漏れも無くすことができる液状化粧料塗布具を実現し提供することができる。
【０００９】
請求項２記載の考案によれば、軸筒の先端側にキャップを着脱可能に備えるとともに、前記キャップ側へ突出させた液状化粧料塗布用の塗布部と、この塗布部の後端側を保持する先筒と、先筒を保持するとともに内部に通過孔を設けた隔壁部を設けた中継保持筒と、前記先筒及び中継保持筒をスライド可能に保持する先筒保持筒と、後端側に台形状の突部又は略半球状或いは頂部を平面とした半球状の突部を設けたカートリッジを組み付け、カートリッジから塗布部への流路を形成し、先端側に前記中継保持筒との間に開閉弁部を形成する先端側突部を備える液状化粧料誘導筒と、前記先筒を先端側に押圧するばねと、液状化粧料誘導筒の外周と中継保持筒の内周との間に配置したＯリングと、を有し、前記塗布部の後端側に開閉弁部から流入する液状化粧料を前記塗布部に誘導する液状化粧料誘導部を備える塗布具本体機構部を軸筒に内装し、軸筒の後端側に前記突部に押圧力を作用させるための押体を配置した構成としたので、構造が簡略で部品点数を減らし、更に、塗布部への液状化粧料の供給を行うことができる構成の基に液状化粧料の目的箇所への確実な塗布機能を発揮させることができ、また、キャップ装着時における液状化粧料漏れも無くすことができる液状化粧料塗布具を実現し提供することができる。
【００１０】
請求項３記載の考案によれば、請求項２記載の考案と同様な効果を奏するとともに、中継保持筒の先端側受筒部の最深部を画する前記隔壁部の端面と、前記塗布部の後端との間に配置した開閉弁部から流入する液状化粧料を前記塗布部に誘導する誘導芯を設けているので、例えば毛筆タイプの塗布具の後端側に確実に液状化粧料を供給することができる液状化粧料塗布具を実現し提供することができる。
【００１１】
請求項４記載の考案によれば、請求項２記載の考案と同様な効果を奏するとともに、中継保持筒の先端側受筒部の最深部を画する前記隔壁部の端面に誘導溝を設けているので、例えば毛筆タイプの塗布具の中心部分に穴を開けずに液状化粧料を供給することができる液状化粧料塗布具を実現し提供することができる。
【図面の簡単な説明】
【００１２】
【図１】図１は本考案の実施例１に係る液状化粧料塗布具の概略構成図である。
【図２】図２は本実施例１に係る液状化粧料塗布具の概略断面図である。
【図３】図３は本実施例１に係る液状化粧料塗布具における開閉弁部開状態の部分拡大図である。
【図４】図４は本実施例１に係る液状化粧料塗布具における開閉弁部開状態の部分拡大断面図である。
【図５】図５は本考案の実施例２に係る液状化粧料塗布具の概略構成図である。
【図６】図６は本実施例２に係る液状化粧料塗布具の概略断面図である。
【図７】図７は本実施例２に係る液状化粧料塗布具における開閉弁部閉状態の部分拡大図である。
【図８】図８は本実施例２に係る液状化粧料塗布具における開閉弁部閉状態の部分拡大断面図である。
【図９】図９は本実施例２に係る液状化粧料塗布具における開閉弁部開状態の部分拡大図である。
【図１０】図１０は本実施例２に係る液状化粧料塗布具における開閉弁部開状態の部分拡大断面図である。
【図１１】図１１は本実施例２に係る液状化粧料塗布具における液状化粧料の塗布具への供給状態を示す説明図である。
【図１２】図１２は本実施例２に係る液状化粧料塗布具における中継保持筒に誘導溝を設けた場合の液状化粧料の塗布具への供給状態を示す説明図である。
【考案を実施するための形態】
【００１３】
本考案は、構造を簡単にし部品点数を減らした構成の基に液状化粧料の目的箇所への確実な塗布機能を発揮させることができる液状化粧料塗布具を実現し提供するという目的を、先端側にキャップを着脱可能に備え、先端側を前記キャップ側へ突出させた液状化粧料の塗布部と、この塗布部の後端側を保持する先筒と、この先筒の後端側を先端側受筒部に嵌装し、後端側受筒部を後端側に延在するとともに、内部に通過孔を設けた隔壁部を設けた中継保持筒とを、スライド可能に保持するとともに後端側をカートリッジ側に臨ませた先筒保持筒と、前記中継保持筒の後端側受筒部内に嵌装され前記隔壁部における通過孔の部分に臨ませる先端側突部と、先筒保持筒の後端部を貫通させカートリッジ組み付け部とする後端部と、前記先端側突部と後端部との間の大径部とを具備し、内部から先端側突部の外周に至る液状化粧料の流路を形成するとともに、前記先端側突部の突出端と前記隔壁部における通過孔の部分とにより、前記キャップの装着に連動して前記カートリッジから塗布部への流路を閉塞し、前記キャップの取り外しに連動して前記カートリッジから塗布部への流路を開き液状化粧料を前記塗布部に供給可能とする開閉弁部を形成する液状化粧料誘導筒と、前記大径部と中継保持筒の後端との間に配置したこの中継保持筒及び前記塗布部の後端側を保持する先筒を先端側に押圧するばねと、前記液状化粧料誘導筒の外周と中継保持筒の内周との間に配置したＯリングと、前記液状化粧料誘導筒の後端部に着脱可能に組み付けるとともに、液状化粧料を内部に収容し後端側に中空軟質空洞構造の台形状の突部又は中空軟質構造の略半球状或いは頂部を平面とした半球状の突部を設けたカートリッジと、を有し、前記塗布部の後端側に開閉弁部から流入する液状化粧料を前記塗布部に誘導する液状化粧料誘導部を備える塗布具本体機構部を内装した軸筒と、前記軸筒の後端側に配置した前記突部に押圧力を作用させるための押体と、を有する構成により実現した。
【実施例】
【００１４】
（実施例１）
以下、本考案の実施例１に係る液状化粧料塗布具１について図１乃至図４を参照して詳細に説明する。
【００１５】
本実施例１に係る液状化粧料塗布具１においては、図１に示すように先端側、後端側を定義して以下の説明を行う。
【００１６】
本実施例１に係る液状化粧料塗布具１は、図１、図２に示すように、略円筒状で先端側に後述するキャップ６の螺着用の嵌合部２０ａを設け、後端側に押体３用の端孔部２０ｂを設けた軸筒２０と、この軸筒２０と同径の円筒状で、先端側を閉塞し後端側の開口内部に前記嵌合部２０ａに嵌合する嵌合部６ａを設けるとともに、その内底部にキャップ６自体の長さより短長の鍔押部６ｂを一体的に嵌装し、前記嵌合部６ａを前記軸筒２０の嵌合部２０ａに螺着することで軸筒２０と一体化するキャップ６と、を有している。
【００１７】
また、本実施例１に係る液状化粧料塗布具１は、前記軸筒２０及びキャップ６の内部に、塗布具本体機構部を構成するフェルトタイプ又は毛筆タイプからなり外形が円柱状で先端側を先細状とした塗布部２と、前記塗布部２を保持する先筒７と、詳細は後述する中継保持筒９、先筒保持筒１２及び液状化粧料誘導筒１４と、液状化粧料Ｌを収納した着脱可能なカートリッジ４と、を内装するように構成している。
【００１８】
更に詳述すると、本実施例１に係る液状化粧料塗布具１は、図３、図４に拡大して示すように、全体として円筒状に形成され、前記塗布部２を保持する先筒７の後端側に設けた装入筒部７ｃを嵌装し一体化する先端側受筒部９ａと、液状化粧料誘導筒１４の先端側をスライド可能に嵌装する後端側受筒部９ｂと、先端側受筒部９ａ、後端側受筒部９ｂを画する隔壁部９ｃと、この隔壁部９ｃの中央に設けた通過孔９ｄと、前記隔壁部９ｃの後端側面に設けた開閉弁部１０を形成する凹部９ｅと、を具備する中継保持筒９と、全体として円筒状に形成され、前記先筒７の装入筒部７ｃと、中継保持筒９における先端側受筒部９ａとの重合部分に相当する領域をテーパー状の大径筒部１２ａとし、この大径筒部１２ａ及びその後端側筒部１２ｂにより前記中継保持筒９の後端より更に後方に至る範囲を覆い、後端側に設けた孔部１２ｃを後述するカートリッジ４の先端側に臨ませる先筒保持筒１２と、全体として円筒状に形成され、内部を貫通する液状化粧料Ｌの流路１４ｄを備えるとともに、先端側に設けた例えば円錐状で開閉弁部１０を形成する先端側突部１４ａを前記中継保持筒９の隔壁部９ｃに形成した凹部９ｅに臨ませ、長さ方向中央からやや後ろ寄りの部分に大径部１４ｂを設けて前記先筒保持筒１２における孔部１２ｃの内側に接触させ、後端部１４ｃ側を前記孔部１２ｃから後方に突出させてカートリッジ４用の組み付け部分とする液状化粧料誘導筒１４と、前記液状化粧料誘導筒１４の後端側に組みつけた液状化粧料Ｌを内部に収容するとともに液状化粧料Ｌの流量を規制する球体４ａを内装したカートリッジ４と、前記中継保持筒９の後端側受筒部９ｂにばね受け材１８を介して先端側を当接させ、前記大径部１４ｂに後端側を当接させた状態で前記液状化粧料誘導筒１４の外周に巻装され、前記中継保持筒９を先端側に押圧する例えばコイルばねからなるばね８と、を有している。
前記中継保持筒の先端側受筒部の最深部を画する前記隔壁部９ｃの端面と前記塗布部の後端との間に配置した開閉弁部から流入する液状化粧料は、前記塗布部に誘導されることになる。
【００１９】
前記中継保持筒９の先端側受筒部９ａの最深部と塗布部２の後端との間には、中心部に孔１６ａを設けた円盤状の鍔部１６を配置している。この鍔部１６は液状化粧料誘導部として機能する。
【００２０】
前記液状化粧料誘導筒１４の外周と中継保持筒９の内周との間には１個のＯ（オー）リング１３を配置している。
【００２１】
また、液状化粧料誘導筒１４の先端側突部１４ａから後端寄りでＯリング１３の位置よりも先端側には、前記流路１４ｄに連なり先端側突部１４ａの外周側を経て開閉弁部１０に液状化粧料Ｌを漏出させる液状化粧料漏出部１４ｅを設けている。
【００２２】
更に、図１、図２に示すように、前記軸筒２０の嵌合部２０ａの内周部と前記先筒保持筒１２の後端側筒部１２ｂとの間には、環状のシール部１５（嵌合するようになっている突起状部）を配置し、前記先筒７の装入筒部７ｃと、中継保持筒９の先端側受筒部９ａとの間にも環状のシール部１５を配置している。
【００２３】
そして、前記先筒保持筒１２の大径筒部１２ａと、後端側筒部１２ｂとの境界部の段差部分を前記軸筒２０における嵌合部２０ａの先端側端面に当接させるように構成している。
【００２４】
前記先筒７は、前記塗布部２をその先端が突出する状態で保持する先端側ほど小径となるように形成したテーパー部７ａと、鍔部７ｂと、前記中継保持筒９への装入筒部７ｃと、を具備し、これらの内部に前記塗布部２を嵌装する貫通孔７ｄを設けている。
【００２５】
前記カートリッジ４の後端には、例えばポリエチレンやゴム材等により中空軟質空洞構造とした台形突部５を取り付けている。
【００２６】
また、前記軸筒２０の後端側には、略筒状で後端面に前記軸筒２０の端孔部２０ｂから更に後方に突出する突出押部３ｂを備えた嵌装胴部３ａと、この嵌装胴部３ａの内部に前記カートリッジ４の台形突部５に当接するように突設した押片３ｃとを有する押体３を配置している。
【００２７】
また、本実施例１に係る液状化粧料塗布具１においては、前記キャップ６の嵌合部６ａを前記軸筒２０の嵌合部２０ａに嵌合してこのキャップ６を軸筒２０に取り付ける際に、前記キャップ６の内部における鍔押部６ｂの端部６ｃが前記先筒７の鍔部７ｂに当接しつつキャップ６が取り付けられるので、塗布部２を保持した先筒７及び中継保持筒９は前記ばね８の弾力に抗して後端側にスライドするように構成している。
【００２８】
これにより、中継保持筒９の隔壁部９ｃと、液状化粧料誘導筒１４の先端側突部１４ａとにより構成される開閉弁部１０が閉塞するようになっている。
【００２９】
逆に、前記キャップ６を軸筒２０から取り外す際に、前記キャップ６の嵌合部６ａを、前記軸筒２０の嵌合部２０ａに対して緩め、次いでキャップ６を軸筒２０から取り外すと、前記塗布部２を保持した先筒７及び中継保持筒９は前記ばね８の弾力により先端側スライドし、前記開閉弁部１０が開き、この開閉弁部１０を経て液状化粧料Ｌを塗布部２側へ供給可能な状態に転じるように構成している。
【００３０】
上述した構成からなる本実施例１に係る液状化粧料塗布具１によれば、前記キャップ６を前記軸筒２０に取り付けた際には、前記キャップ６の内部における鍔押部６ｂの端部６ｃが前記先筒７の鍔部７ｂに当接し、前記塗布部２を保持した先筒７及び中継保持筒９は前記ばね８の弾力に抗して後端側にスライドするので、前記開閉弁部１０が閉塞状態となる。
【００３１】
この結果、前記塗布部２とカートリッジ４の内部が隔離され、外気圧や気温等の急激な変化による液状化粧料Ｌの漏れを完全に防ぐことができる。
【００３２】
また、前記キャップ６を締め付けた状態では、軸筒２０の後端の押片３ｃを押し付けても液状化粧料Ｌが塗布部２側へ供給されることはない。
【００３３】
更に、上述した構成により、既存容器に比較し、中継保持筒９の部分の部品点数を減らすことができ、また、Ｏリング１３によるシール箇所も減らすこともでき、構造を簡略化したことで、液状化粧料塗布具１本来の機能を保ったまま、部材コスト、組み立てコストを減らすことが可能となる。
【００３４】
一方、前記キャップ６を軸筒２０から取り外した際には、前記塗布部２を保持した先筒７及び中継保持筒９は前記ばね８の弾力により先端側にスライドし、前記開閉弁部１０が開き、この開閉弁部１０を経て液状化粧料Ｌが塗布部２側へ供給される。
これにより、使用者は軸筒２０を手に持ち、塗布部２を目的箇所に接触させて所望の化粧を実行することが可能となる。
【００３５】
また、この際に、前記軸筒１の後端側に設けた押体３の突出押部３ｂを指等で押すことにより、前記押片３ｃがカートリッジ４に設けた台形突部５を押圧して変形させ、これにより、カートリッジ４内の液状化粧料Ｌの塗布部２への安定した誘導供給ができることになる。
【００３６】
また、前記カートリッジ４に設けた台形突部５を中空軟質空洞構造の台形としたことで、製造に使用する金型の構造を簡素化することができるとともに、金型に無理抜き構造が無い為、成型時金型から抜け易く傷や穴などによるカートリッジ４の気密不良を予防することができるという効果も奏する。
【００３７】
本実施例１に係る液状化粧料塗布具１の中継保持筒９における液状化粧料Ｌの流路については、使用する液状化粧料Ｌの種類により、例えば円盤状の鍔部１６の使用の有無を選択できる。
【００３８】
また、前記鍔部１６の有無だけで無く、液状化粧料Ｌの流路面積に対し表面積の小さな鍔部１６を用い流量を調整することで粘度、粘度が異なる多種類の液状化粧料Ｌの供給量を自在に調整することが可能となる。
【００３９】
前記塗布部２として毛筆タイプのものを使用する場合には、従来技術と同様に塗布部２の中心部分に穴を開け、鍔部１６（又は細パイプ）を装着し、液状化粧料Ｌを中継保持筒９の通過孔９ｄから鍔部１６（又は細パイプ）を経て塗布部２の先端側への供給が可能となる。
【００４０】
なお、前記塗布部２としては、特に限定することはなく、フェルトタイプ、毛筆タイプ等各種のタイプの塗布部を使用することが可能である。
【００４１】
（実施例２）
次に本考案の実施例２に係る液状化粧料塗布具１Ａについて図５乃至図１２を参照して詳細に説明する。
【００４２】
なお、本実施例２に係る液状化粧料塗布具１Ａにおいて、実施例１に係る液状化粧料塗布具１の場合と同一の要素には同一の符号を付し、その詳細説明は省略する。
【００４３】
本実施例２に係る液状化粧料塗布具１Ａは、基本的には実施例１に係る液状化粧料塗布具１と同様な構成であるが、先筒保持筒１２の大径筒部１２ａの内径を後端側筒部１２ｂの内径より大きくした段付孔構造とするとともに、中継保持筒９の先端側受筒部９ａの外径を後端側受筒部９ｂの外径より大きくした段付筒状構造とし、中継保持筒９の先端側受筒部９ａを大径筒部１２ａ内に嵌装し、後端側受筒部９ｂを後端側筒部１２ｂ内に嵌装したこと、前記カートリッジ４の台形突部５に替えて、前記カートリッジ４の後端側に嵌装した筒状嵌装部２２と、この筒状嵌装部２２から後端側に突設した略半球状或いは頂部を平面とした半球状（図示せず）の外形を有する例えばポリエチレンやゴム材等からなる中空突部２３とを具備する受突部２１を設け、前記押体３からの押圧力を中空突部２３で受け、中空突部２３の変形によりカートリッジ４内の液状化粧料Ｌを先端側に供給するようにしたことが特徴である。
【００４４】
なお、図５、図６において、符号２４は液状化粧料誘導筒１４の後端部１４ｃ内に嵌着した中継芯である。
【００４５】
次に、上述した構成からなる本実施例２に係る液状化粧料塗布具１Ａの作用、効果について説明する。
【００４６】
本実施例２に係る液状化粧料塗布具１Ａは、実施例１に係る液状化粧料塗布具１の場合と略同様な作用、効果を発揮するが、以下に詳述する。
【００４７】
本実施例２に係る液状化粧料塗布具１Ａによれば、前記キャップ６を前記軸筒２０に取り付けた際には、図５、図６に示すように、前記キャップ６の内部における鍔押部６ｂの端部６ｃが前記先筒７の鍔部７ｂに当接し、前記塗布部２を保持した先筒７及び中継保持筒９は前記ばね８の弾力に抗して後端側にスライドするので、前記開閉弁部１０が閉塞状態となる。この状態を図７、図８において拡大して示す。
【００４８】
この結果、前記塗布部２とカートリッジ４の内部が隔離され、実施例１の場合と同様、外気圧や気温等の急激な変化による液状化粧料Ｌの漏れを完全に防ぐことができる。
【００４９】
また、前記キャップ６を締め付けた状態では、軸筒２０の後端の押片３ｃを押し付け、中空突部２３を変形させても液状化粧料Ｌが塗布部２側へ供給されることはない。
【００５０】
更に、上述した構成により、既存容器に比較し、中継保持筒９の部分の部品点数を減らすことができ、また、Ｏリング１３によるシール箇所も減らすこともでき、構造を簡略化したことで、液状化粧料塗布具１本来の機能を保ったまま、部材コスト、組み立てコストを減らすことが可能となる。
【００５１】
一方、前記キャップ６を軸筒２０から取り外した際には、前記塗布部２を保持した先筒７及び中継保持筒９は前記ばね８の弾力により先端側にスライドし、前記開閉弁部１０が開き、この開閉弁部１０を経て液状化粧料Ｌが塗布部２側へ供給される。この状態を図９、図１０において拡大して示す。
【００５２】
これにより、使用者は軸筒２０を手に持ち、塗布部２を目的箇所に接触させて所望の化粧を実行することが可能となる。また、この際に、前記軸筒１の後端側に設けた押体３の突出押部３ｂを指等で押すことにより、前記押片３ｃがカートリッジ４に設けた中空突部２３を押圧し変形させ、これにより、カートリッジ４内の液状化粧料Ｌの塗布部２への安定した誘導供給が可能となる。
【００５３】
また、前記カートリッジ４に設けた中空突部２３を略半球状或いは頂部を平面とした半球状の中空軟質構造としたことにより、製造に使用する金型の構造を簡素化することができる。
【００５４】
本実施例２に係る液状化粧料塗布具１Ａの中継保持筒９における液状化粧料Ｌの流路については、使用する液状化粧料Ｌの種類により、例えば、円盤状の鍔部１６の使用の有無を選択できる。
【００５５】
また、前記鍔部１６の有無だけで無く、液状化粧料Ｌの流路面積に対し表面積の小さな鍔部１６を用い流量を調整することで粘度、粘度が異なる多種類の液状化粧料Ｌの供給量を自在に調整することが可能となる。
【００５６】
前記塗布部２として毛筆タイプのものを使用する場合には、従来技術と同様に塗布部２の中心部分に穴を開け、図１１に示すように、前記鍔部１６（又は細パイプ）を装着し、液状化粧料Ｌを中継保持筒９の通過孔９ｄから鍔部１６（又は細パイプ）を経て塗布部２の先端側への液状化粧料Ｌの供給が可能となる。
【００５７】
また、図１２に示すように、前記塗布部２の中心部分に穴を開けることなく、中継保持筒９の隔壁部９ｃにおける塗布部２の後端との接触部分の端面に通過孔９ｄに連通させた誘導溝２５を設けて液状化粧料Ｌを誘導溝２５により誘導しつつ前記塗布部２の後端側へ供給する構造とすることも可能である。誘導溝２５は液状化粧料誘導部として機能する。
【００５８】
この場合、前記塗布部２の中心部分に鍔部１６用の穴を開ける必要が無いため、塗布部２の割れを防ぐことができる。
【００５９】
また、前記誘導溝２５を設けることで、液状化粧料Ｌを塗布部２の外周と前記先筒７の装入筒部７ｃ内周との間から塗布部２の後端側へ供給することが可能となるため、塗布部２の乾燥を長時間防ぐことが可能になるという利点も有る。
【００６０】
なお、前記誘導溝２５と前記鍔部１６（又は細パイプ）とを併用した構造とすることも可能である。
【産業上の利用可能性】
【００６１】
本考案の液状化粧料塗布具は、口紅、アイライナー、アイシャドー等の各種化粧具に広範に適用可能である。
【符号の説明】
【００６２】
１    液状化粧料塗布具
１Ａ  液状化粧料塗布具
２    塗布部
３    押体
３ａ  嵌装胴部
３ｂ  突出押部
３ｃ  押片
４    カートリッジ
４ａ  球体
５    台形突部
６    キャップ
６ａ  嵌合部
６ｂ  鍔押部
６ｃ  端部
７    先筒
７ａ  テーパー部
７ｂ  鍔部
７ｃ  装入筒部
７ｄ  貫通孔
８    ばね
９    中継保持筒
９ａ  先端側受筒部
９ｂ  後端側受筒部
９ｃ  隔壁部
９ｄ  通過孔
９ｅ  凹部
１０    開閉弁部
１２    先筒保持筒
１２ａ  大径筒部
１２ｂ  後端側筒部
１２ｃ  孔部
１３    Ｏリング
１４    液状化粧料誘導筒
１４ａ  先端側突部
１４ｂ  大径部
１４ｃ  後端部
１４ｄ  流路
１４ｅ  液状化粧料漏出部
１５    シール部
１６    鍔部
１６ａ  孔
１８    ばね受け材
２０    軸筒
２０ａ  嵌合部
２０ｂ  端孔部
２１    受突部
２２    筒状嵌装部
２３    中空突部
２４    中継芯
２５    誘導溝
Ｌ    液状化粧料
【図１】
0003169408.tif 000003
【図２】
0003169408.tif 000004
【図３】
0003169408.tif 000005
【図４】
0003169408.tif 000006
【図５】
0003169408.tif 000007
【図６】
0003169408.tif 000008
【図７】
0003169408.tif 000009
【図８】
0003169408.tif 000010
【図９】
0003169408.tif 000011
【図１０】
0003169408.tif 000012
【図１１】
0003169408.tif 000013
【図１２】
0003169408.tif 000014